【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】    【請求項１】結像光学系と前記結像光学系の像側に配された電子撮像素子とを備えた電子撮像装置において、  前記結像光学系は、非球面を含みかつ常時固定の単レンズである最も像側の最終レンズ群と、前記最終レンズ群より物体側直前に配され、かつ、フォーカスのために移動するフォーカスレンズ群とを含むことを特徴とする電子撮像装置。    【請求項２】前記結像光学系は、広角端から望遠端にかけて変倍する際に物体側にのみ移動する正の屈折力のレンズ群を有することを特徴とする請求項１記載の電子撮像装置。    【請求項３】前記結像光学系は、物体側から順に、負の屈折力の第１レンズ群、広角端から望遠端にかけて変倍する際に物体側にのみ移動する正の屈折力の第２レンズ群を有することを特徴とする請求項１又は２記載の電子撮像装置。    【請求項４】前記結像光学系は、物体側から順に、負の屈折力の第１レンズ群、広角端から望遠端にかけて変倍する際に物体側にのみ移動する複数の正の屈折力のレンズ群を有することを特徴とする請求項１又は２記載の電子撮像装置。    【請求項５】結像光学系と前記結像光学系の像側に配された電子撮像素子とを備えた電子撮像装置において、  前記結像光学系は、最も物体側に配された負の屈折力を有する第１レンズ群と、その像側に配された少なくとも３つのレンズ群とを含み、  物体側より引き続く４つ目のレンズ群までの相互の間隔は、変倍あるいはフォーカスのために変化し、  最も像側の最終レンズ群は固定で１枚の非球面レンズにて構成され、  変倍時に前記第１レンズ群の像側直後のレンズ群と一体で移動する開口絞りを有することを特徴とする電子撮像装置。    【請求項６】ズームレンズと前記ズームレンズの像側に配された電子撮像素子とを備えた電子撮像装置において、  前記ズームレンズは、物体側より順に、負の屈折力を有する第１レンズ群と、正の屈折力を有する第２レンズ群と、正の屈折力を有する第３レンズ群と、第４レンズ群からなり、  前記第３レンズ群を物体側に繰り出すことでより近距離の被写体に合焦することが可能であり、  前記第４レンズ群が非球面を含む常時固定の１枚のレンズよりなることを特徴とする電子撮像装置。    【請求項７】ズームレンズと前記ズームレンズの像側に配された電子撮像素子とを備えた電子撮像装置において、  前記ズームレンズは、物体側より順に、負の屈折力を有する第１レンズ群と、正の屈折力を有する第２レンズ群と、正の屈折力を有する第３レンズ群と、第４レンズ群からなり、  前記第３レンズ群を物体側に繰り出すことでより近距離の被写体に合焦することが可能であり、  前記第２レンズ群は、非球面を含む１枚の単レンズと、物体側より順に正レンズと負レンズとからなる接合レンズとからなり、  前記第３レンズ群は、正の単レンズ１枚よりなることを特徴とする電子撮像装置。    【請求項８】ズームレンズと前記ズームレンズの像側に配された電子撮像素子とを備えた電子撮像装置において、  前記ズームレンズは、物体側より順に、負の屈折力を有する第１レンズ群と、正の屈折力を有する第２レンズ群と、正の屈折力を有する第３レンズ群と、第４レンズ群とからなり、  前記第３レンズ群を物体側に繰り出すことでより近距離の被写体に合焦することが可能であり、  前記第２レンズ群は、非球面を含む１つの正レンズと、１つの負レンズとからなり、  前記第３レンズ群は、正の単レンズ１枚よりなることを特徴とする電子撮像装置。    【請求項９】前記第１レンズ群が変倍時移動することを特徴とする請求項１から８の何れか１項記載の電子撮像装置。    【請求項１０】最も物体側に、負の屈折力を有する第１群を有し、４つ以上の群より構成され、物体側より４つ目までの群は変倍中に相互の間隔が変化し、最も像側の群は固定で正の屈折力を有する１枚の非球面単レンズにて構成され、変倍時に第２群と一体で移動する開口絞りを有し、かつ、以下の条件（１）を満足するズームレンズ及び電子撮像素子を有することを特徴とする電子撮像装置。    （１）  １．５＜Ｌ2 ／Ｙ＜３．５      ただし、Ｌ2 は第２群の広角端から望遠端にかけての移動量、Ｙは撮像素子の有効撮像領域の対角長である。    【請求項１１】物体側より順に、負の屈折力を有する第１群と正の屈折力を有する第２群と正の屈折力を有する第３群と正の屈折力を有する第４群とよりなり、無限遠物点合焦時に広角端から望遠端に変倍する際は、前記第２群と第３群の間隔が大きくなり、前記第３群を物体側に繰り出すことでより近距離の被写体に合焦することが可能であり、前記第４群は正の屈折力を有する１枚の非球面単レンズにて構成され、以下の条件（２）を満足するズームレンズ及び電子撮像素子を有することを特徴とする電子撮像装置。    （２）  −１．２＜exＰW ／exＰT ＜０ただし、exＰW 、exＰT はそれぞれ無限遠物点合焦時における広角端及び望遠端での像面から測った射出瞳位置である。    【請求項１２】物体側より順に、負の屈折力を有する第１群と正の屈折力を有する第２群と正の屈折力を有する第３群と正の屈折力を有する第４群とよりなり、無限遠物点合焦時に広角端から望遠端に変倍する際は、前記第２群と第３群の間隔が大きくなり、前記第３群を物体側に繰り出すことでより近距離の被写体に合焦することが可能であり、前記第２群が物体側から順に非球面を含む１枚の単レンズと物体側から正レンズ、負レンズの順で構成した接合レンズとからなり、前記第３群は正の屈折力を有する１枚の単レンズよりなり、以下の条件（３）と条件（４）を満足するズームレンズ及び電子撮像素子を有することを特徴とする電子撮像装置。    （３）  −１．５＜（Ｒ2C1 ＋Ｒ2C2 ）・（Ｒ2C2 −Ｒ2C3 ）／                        （Ｒ2C1 −Ｒ2C2 ）・（Ｒ2C2 ＋Ｒ2C3 ）＜−０．３    （４）  ０．０５＜ｔ2N／ｔ2 ＜０．３ただし、Ｒ2C1 、Ｒ2C2 、Ｒ2C3 は第２群の接合レンズの物体側から１番目と２番目と３番目のレンズ面のそれぞれの光軸上の曲率半径、ｔ2Nは第２群の接合レンズ中の負レンズの光軸上での厚み、ｔ2 は第２群の最も物体側の面から最も像側の面までの光軸上での厚みである。    【請求項１３】物体側より順に、負の屈折力を有する第１群と正の屈折力を有する第２群と正の屈折力を有する第３群と正の屈折力を有する第４群よりなり、無限遠物点合焦時に広角端から望遠端に変倍する際は、前記第２群と第３群の間隔が大きくなり、前記第３群を物体側に繰り出すことでより近距離の被写体に合焦することが可能であり、前記第２群が物体側から順に非球面を含む正レンズ成分と負レンズ成分１つずつからなり、前記第３群は正の屈折力を有する１枚の単レンズよりなり、以下の条件（５）を満足するズームレンズ及び電子撮像素子を有することを特徴とする電子撮像装置。    （５）  ０．０５＜ｔ2NI ／ｔ2 ＜０．３ただし、ｔ2NI は第２群中の最も像側の負レンズの光軸上での厚み、ｔ2 は第２群の最も物体側の面から最も像側の面までの光軸上での厚みである。    【請求項１４】前記第１群は、物体側から順に、２枚の負レンズからなる負レンズ群と１枚の正レンズからなる正レンズ群とよりなることを特徴とする請求項１０から１３の何れか１項記載の電子撮像装置。    【請求項１５】前記第１群は、物体側から順に、２枚以下の負レンズからなる負レンズ群と１枚の正レンズからなる正レンズ群とよりなり、前記負レンズ群の中少なくとも１枚の負レンズは非球面を含むことを特徴とする請求項１０から１３の何れか１項記載の電子撮像装置。    【請求項１６】前記第１群、第２群の各々の総厚が以下の条件（６）、（７）を満足することを特徴とする請求項９から１５の何れか１項記載の電子撮像装置。    （６）  ０．６＜ｔ1 ／Ｙ＜２．２      （７）  ０．３＜ｔ2 ／Ｙ＜１．５  ただし、ｔ1 は第１群の最も物体側の面から最も像側の面までの光軸上での厚みであり、ｔ2 は第２群の最も物体側の面から最も像側の面までの光軸上での厚みであり、Ｙは撮像素子の有効撮像領域の対角長である。    【請求項１７】前記ズームレンズの後方にある撮像素子よりも物体側に、波長６００ｎｍでの透過率が８０％以上であり、波長７００ｎｍでの透過率が１０％以下である近赤外シャープカットコートを有することを特徴とする請求項９から１６の何れか１項記載の電子撮像装置。    【請求項１８】前記撮像素子が、カラー化フィルターとして補色モザイクフィルターを有することを特徴とする請求項１７記載の電子撮像装置。    【請求項１９】前記補色モザイクフィルターは少なくとも４種類の色フィルターからなり、それぞれが略同じ数になるように、かつ、隣り合う画素が同じ種類の色フィルターに対応しないようにモザイク状に配置されていることを特徴とする請求項１８記載の電子撮像装置。    【請求項２０】前記補色モザイクフィルターは少なくとも４種類の色フィルターから構成され、前記４種類の色フィルターの特性は以下の通りであることを特徴とする請求項１８又は１９記載の電子撮像装置。  グリーンの色フイルターＧは波長ＧP に分光強度のピークを有し、  イエローの色フィルターＹe は波長ＹP に分光強度のピークを有し、  シアンの色ブィルターＣは波長ＣP に分光強度のピークを有し、  マゼンダの色フィルターＭは波長ＭP1とＭP2にピークを有し、以下の条件を満足する。    ５１０ｎｍ＜ＧP ＜５４０ｎｍ    ５ｎｍ＜ＹP −ＧP ＜３５ｎｍ    −１００ｎｍ＜ＣP −ＧP ＜−５ｎｍ    ４３０ｎｍ＜ＭP1＜４８０ｎｍ    ５８０ｎｍ＜ＭP2＜６４０ｎｍ    【請求項２１】前記グリーン、イエロー、シアンの色フィルターはそれぞれの分光強度のピークに対して５３０ｎｍでは８０％以上の強度を有し、前記マゼンダの色フィルターはその分光強度のピークに対して波長５３０ｎｍの大きい方のピークでは１０％から５０％の強度を有することを特徴とする請求項２０記載���の電子撮像装置。    【請求項２２】前記撮像素子より物体側に光軸上の総厚ｔLPF が以下の条件（８）を満たす光学的ローパスフィルターを配したことを特徴とする請求項１０から２１の何れか１項記載の電子撮像装置。    （８）  ０．１５×１０3 ＜ｔLPF ／ａ＜０．４５×１０3 ただし、ａは電子撮像素子の水平画素ピッチである。    【請求項２３】開口形状が固定の複数の開口を有し、その中の１つ開口を前記第１群の最も像側の面と前記第３群の最も物体側の面の間の何れかの光路内に挿入可能であり、かつ、他の開口と入れ替え可能とすることで像面照度の調節を行うことを特徴とする請求項１０から２２の何れか１項記載の電子撮像装置。    【請求項２４】前記複数の開口の中、一部の開口内に波長５５０ｎｍに対する透過率が８０％未満の媒体を有すると共に、他の一部の開口の波長５５０ｎｍに対する透過率を８０％以上としたことを特徴とする請求項２３記載の電子撮像装置。    【請求項２５】ズームレンズの焦点距離と入射瞳の直径から求まるＦナンバーをＦno、前記開口における波長５５０ｎｍにおける透過率をＴとしたときのＦno／√Ｔを実効ＦナンバーＦno' とし、電子撮像素子の水平画素ピッチをａとするとき、Ｆno' ＞ａ／０．４μｍとなるような実効Ｆナンバーに相当する光量になるように調節を実施する場合は、開口内に波長５５０ｎｍに対する透過率Ｔが８０％未満の媒体を備えた開口を前記ズームレンズの光路に挿入することを特徴とする請求項２３記載の電子撮像装置。    【請求項２６】前記複数の開口の中の複数にそれぞれ空間周波数特性の異なる光学的ローパスフィルターを有することを特徴とする請求項２３から２５の何れか１項記載の電子撮像装置。【手続補正２】
【補正対象書類名】明細書
【補正対象項目名】０００６
【補正方法】変更
【補正の内容】
【０００６】    【課題を解決するための手段】  上記目的を達成するために、本発明の電子撮像装置は、結像光学系と前記結像光学系の像側に配された電子撮像素子とを備えた電子撮像装置において、  前記結像光学系は、非球面を含みかつ常時固定の単レンズである最も像側の最終レンズ群と、前記最終レンズ群より物体側直前に配され、かつ、フォーカスのために移動するフォーカスレンズ群とを含むことを特徴とするものである。【手続補正３】
【補正対象書類名】明細書
【補正対象項目名】００１０
【補正方法】変更
【補正の内容】
【００１０】  本発明のもう１つの電子撮像装置は、結像光学系と前記結像光学系の像側に配された電子撮像素子とを備えた電子撮像装置において、  前記結像光学系は、最も物体側に配された負の屈折力を有する第１レンズ群と、その像側に配された少なくとも３つのレンズ群とを含み、  物体側より引き続く４つ目のレンズ群までの相互の間隔は、変倍あるいはフォーカスのために変化し、  最も像側の最終レンズ群は固定で１枚の非球面レンズにて構成され、  変倍時に前記第１レンズ群の像側直後のレンズ群と一体で移動する開口絞りを有することを特徴とするものである。